(57)【特許請求の範囲】
【請求項１】
吸湿性，通気性を有する吸着材と、空気流を発生させ前記吸着材に空気流を送風する送風手段と、前記吸着材に送風される空気流を加熱する加熱手段と、前記吸着材を通った空気流を室内に導く通風路とを備え、前記吸着材は前記加熱手段にて加熱されていない第１の空気流が通ったとき該第１の空気流中の水分を吸着するとともに、前記加熱手段にて加熱された第２の空気流が通ったとき当該吸着材に吸着されていた水分を該第２の空気流中に脱離してなり、前記第１の空気流を室外に排出し、前記第２の空気流を前記通風路を介して室内に導く加湿装置において、前記第１の空気流と第２の空気流は前記加湿装置内でそれぞれ通風路が形成され、前記第１の空気流を導く通風路を室外に配設し、前記第１の空気流及び第２の空気流として室外空気を送風する送風手段を室外に配設してなることを特徴とする加湿装置。
【請求項２】
前記吸着材、加熱手段および通風路を室外に配設し、前記送風手段が室外空気を前記吸着材に送風してなることを特徴とする請求項１記載の加湿装置。
【請求項３】
前記送風手段を駆動するとともに前記加熱手段を停止させ、前記加熱手段にて加熱されていない空気流を前記通風路を介して室内に導いてなることを特徴とする請求項２記載の加湿装置。
【請求項４】
前記通風路に空気清浄手段を配設したことを特徴とする請求項１又は２記載の加湿装置。
【請求項５】
前記通風路に脱臭手段を配設したことを特徴とする請求項１又は２記載の加湿装置。
【発明の詳細な説明】
【０００１】
【発明の属する技術分野】
本発明は、空気中の水分を吸着した吸着材に加熱手段にて加熱された空気を当てることで、その水分を吸着材から脱離させ、脱離した水分を含んだ空気を室内に供給する給水不要な加湿装置に関するものである。
【０００２】
【従来の技術】
従来、加湿装置として、本出願人が提案してなる特願平８−１９９４７３号に記載の加湿装置がある。
【０００３】
図９は上記加湿装置を示す要部斜視図である。図中、Ａは第１の空気流であり、Ｂは第２の空気流である。
【０００４】
上記加湿装置１１０は室内に配設されてなり、吸着材１０１、駆動ベルト１０２、駆動モータ１０３、送風装置１０４，１０５、ヒータ１０６とを備えてなる構成からなる。
【０００５】
前記吸着材１０１は前記送風装置１０４の駆動により室内から導かれた空気流Ａが通ったとき該空気流Ａ中の水分を吸着するとともに、前記送風装置１０５の駆動により室内から導かれ、前記ヒータ１０６にて加熱された空気流Ｂが通ったとき当該吸着材１０１に吸着されていた水分を該空気流Ｂ中に脱離してなる。
【０００６】
該加湿装置は、前記空気流Ａを室外に排出するとともに前記空気流Ｂを室内に導くことで、給水することなく加湿を行うことができるようにしている。
【０００７】
【発明が解決しようとする課題】
しかしながら、上述した従来の加湿装置１１０においては、加湿効率を向上させるためには空気流Ｂの風量に対して空気流Ａの風量を大きく設定しなければならず、この場合、前記送風装置１０４を大型化して多量の乾燥空気を室外へ排出させなければならなかった。
【０００８】
しかも、加湿装置と室外との間に距離があると、室外空気を排気するのに送風による圧力損失が大きく、送風装置を大型化しなければならなかった。
【０００９】
ところが、従来の加湿装置１１０は送風装置１０４が室内に配設されるので、前記送風装置１０４を大型化すると、室内における前記送風装置１０４の騒音および消費電力の増大が問題となった。
【００１０】
また、従来の加湿装置には、空気流Ｂを浄化する空気清浄手段，空気流Ｂに含まれる臭気成分を脱臭する脱臭手段が設けられておらず、室内の空気の浄化，脱臭等を行うことができなかった。しかも、空気流Ａを室外に排出するので、排気された室内空気と同量の室外空気が室内の隙間等から自然換気によって室内に流入することとなるが、室外空気が汚れている場合，室外空気に臭気成分が含まれている場合に、室内空気が汚れたり，臭気成分が流入するという問題があった。
【００１１】
本発明は上記課題に鑑み、室内における送風手段の騒音の低減が図れる加湿装置の提供を目的とするものである。
【００１２】
【課題を解決するための手段】
上記目的を達成するために、本発明の請求項１記載の加湿装置は、吸湿性，通気性を有する吸着材と、空気流を発生させ前記吸着材に空気流を送風する送風手段と、前記吸着材に送風される空気流を加熱する加熱手段と、前記吸着材を通った空気流を室内に導く通風路とを備え、前記吸着材は前記加熱手段にて加熱されていない第１の空気流が通ったとき該第１の空気流中の水分を吸着するとともに、前記加熱手段にて加熱された第２の空気流が通ったとき当該吸着材に吸着されていた水分を該第２の空気流中に脱離してなり、前記第１の空気流を室外に排出し、前記第２の空気流を前記通風路を介して室内に導く加湿装置において、前記第１の空気流と第２の空気流は前記加湿装置内でそれぞれ通風路が形成され、前記第１の空気流を導く通風路を室外に配設し、前記第１の空気流及び第２の空気流として室外空気を送風する送風手段を室外に配設してなることを特徴とするものである。
【００１３】
また、本発明の請求項２記載の加湿装置は、請求項１記載の加湿装置において、前記吸着材、加熱手段および通風路を室外に配設し、前記送風手段が室外空気を前記吸着材に送風してなることを特徴とするものである。
【００１４】
加えて、本発明の請求項３記載の加湿装置は、請求項２記載の加湿装置において、前記送風手段を駆動するとともに前記加熱手段を停止させ、前記加熱手段にて加熱されていない空気流を前記通風路を介して室内に導いてなることを特徴とするものである。
【００１５】
加えて、本発明の請求項４記載の加湿装置は、請求項１又は２記載の加湿装置において、前記通風路に空気清浄手段を配設したことを特徴とするものである。
【００１６】
加えて、本発明の請求項５記載の加湿装置は、請求項１又は２記載の加湿装置において、前記通風路に脱臭手段を配設したことを特徴とするものである。
【００１８】
上記構成によれば、本発明の請求項１記載の加湿装置は、送風手段を室外に配設してなる構成なので、前記送風手段にて発生する騒音が室外において発生することになり、前記送風手段を室内に配設する場合に比較して、室内における前記送風手段の騒音を低減することができる。
【００１９】
また、本発明の請求項２記載の加湿装置は、請求項１記載の加湿装置において、前記吸着材、加熱手段および通風路を室外に配設し、前記送風手段が室外空気を前記吸着材に送風してなる構成なので、請求項１の作用に加えて、前記送風手段を室外に配設し前記吸着材および加熱手段を室内に配設する場合に比較して、前記送風手段と吸着材とを接続する通風路，前記吸着材に空気流を導く通風路および室外に第１の空気流を排出する通風路を短く又は不要とすることができる。これにより、通風路の送風による圧力損失を低減でき、送風手段の大型化を防止することができるとともに、これに伴って騒音の低減および省エネ化することができる。
【００２０】
加えて、本発明の請求項３記載の加湿装置は、請求項２記載の加湿装置において、前記送風手段を駆動するとともに前記加熱手段を停止させ、前記加熱手段にて加熱されていない空気流を前記通風路を介して室内に導いてなる構成なので、請求項２の作用に加えて、室外空気の給気を行うことができる。室外空気が給気されると、給気された室外空気と同量の室内空気が室内の隙間等から自然換気によって室外に排気され、室内の換気が行われる。
【００２１】
加えて、本発明の請求項４記載の加湿装置は、請求項１又は２記載の加湿装置において、前記通風路に空気清浄手段を配設した構成なので、請求項１又は２の作用に加えて、吸着材を通った空気流を室内に導く際に空気清浄を行うことができる。
【００２２】
加えて、本発明の請求項５記載の加湿装置は、請求項１又は２記載の加湿装置において、前記通風路に脱臭手段を配設した構成なので、請求項１又は２の作用に加えて、吸着材を通った空気流を室内に導く際に脱臭を行うことができる。
【００２４】
【発明の実施の形態】
以下、本発明の実施の形態にかかる加湿装置について、図面とともに説明する。
【００２５】
図１は本発明の第１実施の形態にかかる加湿装置を示す断面図であり、図２は図１に示す加湿装置の要部斜視図である。
【００２６】
図において、１は吸着材、２は駆動ベルト、３は駆動モータ、４，５は送風装置、６はヒータ、７，８は空気流通路、１０は加湿装置である。また、Ａは第１の空気流、Ｂは第２の空気流、１１は室外、１２は室内を示す。
【００２７】
前記吸着材１は、内部がハニカム状の円柱型で、前記駆動ベルト２によって前記駆動モータ３と連結されている。前記駆動モータ３が回転すると、駆動ベルト２を介して前記吸着材１が回転する。前記吸着材１としては、本実施の形態のようなハニカム形状である必要はなく、格子状、スポンジ状、網状など通気可能なものであればよい。
【００２８】
前記送風装置４，５は、２つの空気流通路７，８にそれぞれ設置されている。すなわち、空気流通路７には送風装置４が設置され、空気流通路８には送風装置５が設置されている。
【００２９】
前記送風装置４が作動すると第１の空気流通路７内に室外１１の空気が取り入れられ、空気流Ａとなって吸着材１を通過し、該空気流Ａは室外１１に排気される。
【００３０】
また、前記送風装置５が作動すると第２の空気流通路８内に室外１１の空気が取り入れられ、空気流Ｂとなってヒータ６で加熱されてから吸着材１を通過し、室内１２に送られる。
【００３１】
前記送風装置４，５は、本実施の形態のように吸着材１の下流側に設置する必要はなく、吸着材１の上流側やヒータ６の上流側に設置するなど２系統の空気流通路７，８に送風するものであればよい。
【００３２】
以上のような構成をもつ加湿装置において、送風装置４，５が作動すると室外空気が加湿装置１０内に吸入される。空気流Ａが吸着材１の一部を通過するとき空気流Ａ中の水分は吸着材１に吸着され、乾燥空気として室外３１に排気される。空気流Ｂはヒータ６で加熱され吸着材１の一部分を通過して吸着材１を加熱する。吸着材１は回転しているため水分を含んだ部分は空気流通路８に移動して加熱され水分が蒸発し加湿空気として室内１２に送られる。
【００３３】
このように、本実施の形態にかかる加湿装置１０によれば、送風装置４，５を室外１２に配設してなる構成なので、前記送風装置４，５にて発生する騒音が室外１２において発生することになり、従来のように前記送風装置４，５を室内１１に配設する場合に比較して、室内１１における前記送風装置４，５の騒音を低減することができる。
【００３４】
また、さらに吸着材１、ヒータ６および空気流通路８を室外１２に配設し、前記送風装置４，５が室外空気を前記吸着材１に送風してなる構成なので、前記送風装置４，５を室外１１に配設し前記吸着材１およびヒータ６を室内１２に配設する場合に比較して、前記送風装置４，５と吸着材１とを接続する通風路（空気流通路），前記吸着材１に空気流Ａ，Ｂを導く通風路および室外１１に空気流Ａを排出する通風路を短く又は不要とすることができる。これにより、通風路の送風による圧力損失を低減でき、送風装置４，５の大型化を防止することができるとともに、これに伴って騒音の低減および省エネ化することができる。
【００３５】
すなわち、本実施の形態にかかる加湿装置１０は、従来の加湿装置に比較して、室内１２へ給気する空気流通路８が長くなり、室外へ排気する吸気流通路７が短くなっている。空気流通路７に流れる空気流Ａは、空気流量に対する吸着量と脱離量との違いから空気流通路８を流れる空気流Ｂに比較して多量の空気流となっており、本実施の形態のように空気流量の少ない空気流通路８を長くすると、従来のように吸気流量の多い空気流通路７を長くする場合に比較して、送風の圧力損失を低減することができる。このため、室内１２の騒音を低減および送風装置４，５を駆動するための電力の省エネ化を図ることができる。
【００３６】
本実施の形態において、送風装置４のみを作動させる（すなわち、送風装置４を作動、且つ駆動モータ３，送風装置５およびヒータ６を停止する）ことが可能である。前記送風装置４だけを作動すると、室内１２への給気が行われる。給気が行われると給気された室外１１の空気と同量の室内１２の空気が室内１１の隙間等から自然換気によって室外１１に排気されるので、室内１２の換気を行うことができる。
【００３７】
図３は本発明の第２実施の形態にかかる加湿装置を示す断面図であり、図４は図３に示す加湿装置の要部斜視図である。
【００３８】
図において、２０はダンパー、２１は空気流通路、２２はヒータ、２３は吸着材、２４は送風装置、２５は加湿装置である。また、Ｃは空気流、１１は室外、１２は室内を示す。
【００３９】
前記吸着材２３は内部がハニカム状の直方体型で、空気流通路２１が固定された該吸着材２３を通過する構成となっている。前記吸着材２３の上流側にはヒータ２２、下流側には送風装置２４がそれぞれ設置されている。吸着材２３は本実施の形態のようなハニカム形状である必要はなく、格子状、スポンジ状、網状など通気可能なものであればよい。また、前記送風装置２４の位置は吸着材１６の下流側にある必要はなく、空気流通路２１に送風するものであればよい。
【００４０】
前記空気流通路２１は、吸着材２３および送風装置２４の下流側で室内給気用通路２１ａと室外排気用通路２１ｂとに分岐されてなり、その分岐点にはダンパー２０が設けられてなる。
【００４１】
前記送風装置２４を作動させると室外１１の空気が取り入れられ、空気流Ｃとなってヒータ２２と吸着材２３を通過する。
【００４２】
ヒータ２２が作動していないときにはダンパー２０は２０Ｂの位置にあり、空気流Ｃが吸着材２３を通過すると空気流Ｃ中の水分は吸着材２３に吸着され、乾燥空気となってダンパー２０，室外排気用通路２１ｂを通り室外１１に排気される。
【００４３】
上記の状態が一定時間経過後、ヒータ２２が作動し、ダンパー２０は２０Ａの位置となる。空気流Ｃはヒータ２２で加熱され、吸着材２３を通過する際に吸着されていた水分を蒸発させ加湿空気となってダンパー２０，室内給気用通路２１ａを通り室内１２に送られる。
【００４４】
該構成によれば、上述した第１実施の形態と同様の効果を得ることができる。
【００４５】
本実施の形態において、ヒータ２２を作動させずにダンパー２０を２０Ａの位置に固定して送風装置２４を作動することが可能である。送風装置２４によって室外１１の空気が室内１２に給気されると給気風量と同量の室内１２の空気が室内の隙間等から自然換気によって排気され、室内１２の換気を行うことができる。
【００４６】
図５は本発明の第３実施の形態にかかる加湿装置を示す断面図である。本実施の形態について、上述した第１実施の形態と相違する点のみ説明する。
【００４７】
本実施の形態にかかる加湿装置は、上述した第１の実施の形態にかかる加湿装置において、室内１２への空気流通路８に空気清浄装置１３を配設したものである。空気清浄装置１３の位置は送風装置５の下流側である必要はなく室内１２に通じる空気流通路８内であればよい。
【００４８】
このように、本実施の形態にかかる加湿装置１０によれば、室内１２への空気流通路８内に空気清浄装置１３を配設したので、上述した第１実施の形態の作用効果に加えて、吸着材１を通った空気流Ｂを室内１２に導く際に空気清浄を行うことができる。特に、室外空気を空気清浄して室内に導くので、従来のように室内空気の排気により室内の隙間から室外空気が流入することを確実に防止でき、汚れた室外空気が室内に流入することを確実に防止することができる。
【００４９】
図６は本発明の第４実施の形態にかかる加湿装置を示す断面図である。本実施の形態について、上述した第１実施の形態と相違する点のみ説明する。
【００５０】
本実施の形態にかかる加湿装置は、上述した第１の実施の形態にかかる加湿装置において、室内１２への空気流通路８に脱臭装置１４を配設したものである。脱臭装置１４の位置は送風装置５の下流側である必要はなく室内１２に通じる第１の空気流通路８内であればよい。
【００５１】
このように、本実施の形態にかかる加湿装置１０によれば、室内１２への空気流通路８内に脱臭装置１４を配設した構成なので、上述した第１実施の形態の作用効果に加えて、吸着材１を通った空気流Ｂを室内１２に導く際に脱臭を行うことができる。特に、室外空気を脱臭して室内に導くので、従来のように室内空気の排気により室内の隙間から室外空気が流入することを確実に防止でき、臭気成分を含む室外空気が室内に流入することを確実に防止することができる。
【００５２】
次に、図７は上述した加湿装置を空気調和機の室外機に組み込んだときの具体例を示す斜視図である。
【００５３】
図において、３０は加湿装置であり、３１は室外機であり、３２は上述した室内に通じる空気流通路８，２１ａである給気用空気流通路であり、３３は冷媒配管であり、３４は室外機用送風装置であり、３５は室内機である。
【００５４】
図９は空気調和機の冷媒配管，ドレンホース，電源コードと給気ダクトとで１つの配管孔を共有する具体例を示す断面図である。
【００５５】
図９（ａ）において、媒冷配管３３とドレンホース４２と電源コード４３と給気用空気流通路３２は空気調和機用の配管孔４０内で並装されている。配管孔４０を出た前記給気用空気流通路３２と冷媒配管４１と電源コード４３とは並装して空気調和機室外機に接続されている。
【００５６】
図９（ｂ）においては、給気用空気流通路３２内に、冷媒配管３３，ドレンホース４２，電源コード４３を通して１つの配管孔４０を共有している。配管孔４０を出た所で給気用空気流通路３２に外部への貫通孔（図示せず）を設け、そこから冷媒配管４１、ドレンホース４２、電源コード４３を外部に出す構成となっている。また、冷媒配管３３と電源コード４３とは空気調和機室外機まで給気用空気流通路３２内を通して空気調和機室外機内部で給気用空気流通路３２から外部に出すことも可能である。
【００５７】
このように、給気用空気流通路３２を室内へ通じる空気調和機の室外機の空調機配管孔４０内に配設することにより、室内への加湿空気の供給孔と空気調和機の配管孔とを１つとすることができ、工事が簡単になるのに加えて、室外と室内の連絡部分のスペースを小さくすることができる。
【００５８】
【発明の効果】
以上説明したように、本発明の請求項１記載の加湿装置によれば、送風手段を室外に配設してなる構成なので、前記送風手段にて発生する騒音が室外において発生することになり、前記送風手段を室内に配設する場合に比較して、室内における前記送風手段の騒音を低減することができる。
【００５９】
また、本発明の請求項２記載の加湿装置によれば、請求項１記載の加湿装置において、前記吸着材、加熱手段および通風路を室外に配設し、前記送風手段が室外空気を前記吸着材に送風してなる構成なので、請求項１の効果に加えて、前記送風手段を室外に配設し前記吸着材および加熱手段を室内に配設する場合に比較して、前記送風手段と吸着材とを接続する通風路，前記吸着材に空気流を導く通風路および室外に第１の空気流を排出する通風路を短く又は不要とすることができる。これにより、通風路の送風による圧力損失を低減でき、送風手段の大型化を防止することができるとともに、これに伴って騒音の低減および省エネ化することができる。
【００６０】
加えて、本発明の請求項３記載の加湿装置によれば、請求項２記載の加湿装置において、前記送風手段を駆動するとともに前記加熱手段を停止させ、前記加熱手段にて加熱されていない空気流を前記通風路を介して室内に導いてなる構成なので、請求項２の効果に加えて、室外空気の給気を行うことができる。室外空気が給気されると、給気された室外空気と同量の室内空気が室内の隙間等から自然換気によって室外に排気され、室内の換気が行われる。
【００６１】
加えて、本発明の請求項４記載の加湿装置によれば、請求項１又は２記載の加湿装置において、前記通風路に空気清浄手段を配設した構成なので、請求項１又は２の効果に加えて、吸着材を通った空気流を室内に導く際に空気清浄を行うことができる。
【００６２】
加えて、本発明の請求項５記載の加湿装置によれば、請求項１又は２記載の加湿装置において、前記通風路に脱臭手段を配設した構成なので、請求項１又は２の効果に加えて、吸着材を通った空気流を室内に導く際に脱臭を行うことができる。
【００６３】
加えて、本発明の請求項６記載の加湿装置によれば、請求項２記載の加湿装置において、前記通風路を室内へ通じる空気調和機の室外機の空調機配管孔内に配設した構成なので、請求項２の効果に加えて、室内への加湿空気の供給孔と空気調和機の配管孔とを１つとすることができ、工事が簡単になるのに加えて、室外と室内の連絡部分のスペースを小さくすることができる。
【図面の簡単な説明】
【図１】本発明の第１実施の形態にかかる加湿装置を示す断面図である。
【図２】図１に示す加湿装置の要部斜視図である。
【図３】本発明の第２実施の形態にかかる加湿装置を示す断面図である。
【図４】図３に示す加湿装置の要部斜視図である。
【図５】本発明の第３実施の形態にかかる加湿装置を示す断面図である。
【図６】本発明の第４実施の形態にかかる加湿装置を示す断面図である。
【図７】本発明の実施の形態にかかる加湿装置を空気調和機の室外機に組み込んだ状態を示す斜視図である。
【図８】本発明に係る、冷媒配管，ドレンホース，電源コードおよび給気用空気流通路の配管孔の共有例を示す断面図である。
【図９】従来の加湿装置を示す要部斜視図である。
【符号の説明】
１，２３  吸着材
４，５，２４  送風装置（送風手段）
６，２２  ヒータ（加熱手段）
７，８，２１，３２  空気流通路（通風路）
１０，２５，３０  加湿装置
１１  室外
１２  室内
１３  空気清浄装置（空気清浄手段）
１４  脱臭装置（脱臭手段）
３１  室外機
４０  配管孔
Ａ，Ｂ，Ｃ  空気流
【図１】
0003559421.tif 000002
【図２】
0003559421.tif 000003
【図３】
0003559421.tif 000004
【図４】
0003559421.tif 000005
【図５】
0003559421.tif 000006
【図６】
0003559421.tif 000007
【図７】
0003559421.tif 000008
【図８】
0003559421.tif 000009
【図９】
0003559421.tif 000010